(57)【要約】【課題】  リニア圧縮機の提供。【解決手段】  外側吐出カバーに差し込まれるループパイプの端部を傾斜するように形成することによって、ループパイプの端部が内側吐出カバーにより塞がることを防止し、製品の信頼性及び組立性の向上を図る。【選択図】      図３
2006090304.tif 000002
【特許請求の範囲】
【請求項１】
シリンダーを開閉する吐出バルブが弾性支持され、前記シリンダーから流出された流体を吐出させる吐出穴が形成された内側吐出カバーと、
前記内側吐出カバーの外側に一定の空間を形成するように配置された外側吐出カバーと、
前記外側吐出カバーに差し込まれて前記外側吐出カバー内の流体を外部へ排出させるループパイプと、を備えているリニア圧縮機において；
前記ループパイプは、前記外側吐出カバーに差し込まれる端部が傾斜して形成されたことを特徴とする、リニア圧縮機。
【請求項２】
前記外側吐出カバーには、前記ループパイプが連結されるように連結管が設けられたことを特徴とする、請求項１に記載のリニア圧縮機。
【請求項３】
前記連結管が、前記外側吐出カバーにおいて前記ピストンの進退方向と直交する方向に設けられたことを特徴とする、請求項２に記載のリニア圧縮機。
【請求項４】
前記ループパイプが、前記連結管に溶接により固定されたことを特徴とする、請求項２に記載のリニア圧縮機。
【請求項５】
前記ループパイプが、前記密閉容器内部の所定の箇所において円形に数回巻かれたことを特徴とする、請求項４に記載のリニア圧縮機。
【請求項６】
前記内側吐出カバーには、前記吐出バルブを弾性的に支持する吐出ばねが設けられたことを特徴とする、請求項５に記載のリニア圧縮機。
【請求項７】
密閉容器と、
前記密閉容器の内部に設置されたリニアモーターと、
前記リニアモーターに装着され、シリンダーが設けられたシリンダーブロックと、
前記シリンダーの内部で前記リニアモーターにより直線往復運動するピストンと、
前記シリンダーの開口部前方に配置され、前記シリンダーで圧縮された流体を排出させる吐出部と、を備えているリニア圧縮機において；
前記吐出部は、前記シリンダーを開閉する吐出バルブと、該吐出バルブが弾性支持され、前記シリンダーから流出された流体を吐出させる吐出穴が穿孔された内側吐出カバーと、該内側吐出カバーの外側に一定の空間を形成するように配置された外側吐出カバーと、該外側吐出カバーに差し込まれる端部が傾斜して形成され、前記外側吐出カバー内の流体を外部へ排出させるループパイプと、を備えていることを特徴とする、リニア圧縮機。
【請求項８】
前記外側吐出カバーには、前記ループパイプが連結されるように連結管が設けられたことを特徴とする、請求項７に記載のリニア圧縮機。
【請求項９】
前記連結管が、前記外側吐出カバーにおいて前記ピストンの進退方向と直交する方向に設けられたことを特徴とする、請求項８に記載のリニア圧縮機。
【請求項１０】
前記ループパイプが、前記連結管に溶接により固定されたことを特徴とする、請求項８に記載のリニア圧縮機。
【発明の詳細な説明】
【技術分野】
【０００１】
本発明は、リニア圧縮機に係り、特に、外側吐出カバーに差し込まれてこの外側吐出カバー内の流体を外部へ排出させるループパイプの端部を傾斜して形成することによって、ループパイプの端部が内側吐出カバーにより塞がることを防止し、組立性及び信頼性を向上させられるリニア圧縮機に関する。
【背景技術】
【０００２】
一般に、リニア圧縮機(Linear compressor)は、リニアモーターの直線駆動力を用いてシリンダーの内部でピストンを直線往復運動させながら流体を吸い込み圧縮してから吐出す。
【０００３】
図１は、従来技術によるリニア圧縮機の縦断面図であり、図２は、図１に示すリニア圧縮機における吐出部構造を示す断面図である。
従来技術によるリニア圧縮機は、図１に示すように、密閉容器２の内部に、シリンダー３が設けられたシリンダーブロック４と、流体吸入口５が穿孔されたバックカバー６とが備えられ、これらシリンダーブロック４とバックカバー６は、第１ダンパー７と第２ダンパー８により密閉容器２の内部に緩衝可能に支持される。
シリンダーブロック４とバックカバー６との間には、流体を圧縮するために駆動力を発生させるリニアモーター１０が設置される。
このリニアモーター１０は、大きく、固定子と可動子とからなる。固定子は、アウターコア１１と、インナーコア１２と、磁場を形成するコイル１３とからなり、可動子は、コイル１３の周辺に形成された磁気力により直線移動するマグネット１４と、該マグネット１４が固定されるマグネットフレーム１５とからなる。
シリンダー３の内部には、マグネット１４の直線運動力が伝えられて直線往復運動しつつ、シリンダー３内に流入した流体を圧縮するピストン１６が備えられる。
ピストン１６の後方は、マグネットフレーム１５に固定されるようにフランジ部１７が形成され、ピストン１６が弾性的に支持されるようにフランジ部１７とシリンダーブロック４との間には第１ばね１８が配置され、フランジ部１７とバックカバー６との間には第２ばね１９が配置される。
ピストン１６は、後方が開放された円筒形に形成され、内部には流体が流入する吸入流路２０が形成され、前面には複数個の吸入ポート２１が形成される。
ピストン１６の前面には吸入ポート２１を開閉する吸入バルブ２２が取り付けられ、該吸入バルブ２２は、ピストン１６に締付部材で固定され、吸入ポート２１の内外側の圧力差によって弾性的に撓みながら吸入ポート２１を開閉する構造となっている。
そして、シリンダー３の圧縮室Ｃの前方には、圧縮された流体を吐出させる吐出部３０が配置される。
【０００４】
図２に示すように、吐出部３０は、シリンダーブロック４に固定され、一側に吐出穴３１が穿孔された内側吐出カバー３２と、内側吐出カバー３２に吐出ばね３３により支持されてシリンダー３の圧縮室Ｃを開閉する吐出バルブ３４と、内側吐出カバー３２の外側に一定の空間を形成するように配置された外側吐出カバー３５と、で構成される。
外側吐出カバー３５には、圧縮された流体を外部へ排出させるループパイプ３６が結合される連結管３７が設けられる。
ループパイプ３６は、一端が連結管３７に連結され、他端は密閉容器２を貫通し、また、圧縮された流体の吐出時に生じる振動及び騒音を低減させるよう、所定箇所に質量体が取り付けられるか、所定箇所が円形に巻かれたり折り曲げられたりして質量体の役割をするようになっている。
ループパイプ３６の組み立てに当たり、ループパイプ３６の一端を連結管３７に差し込んだ後に溶接などの方法で固定する。
【０００５】
次に、上記のように構成された従来技術による吐出部構造を有するリニア圧縮機の作動について説明する。
リニアモーター１０が作動すると、ピストン１６がシリンダー３の内部で進退し、吸入バルブ２２は、ピストン１６の吸入流路２０と圧縮室Ｃの圧力差により開閉される。
ピストン１６の吸入流路２０内の圧力が、圧縮室Ｃの圧力よりも高いと、吸入バルブ２２が圧縮室Ｃに向けて弾性的に撓みながら開くようになり、ピストン１６の吸入流路２０内に在った流体が吸入ポート２１を通って圧縮室Ｃの内部に流入する。
一方、圧縮室Ｃの圧力がピストン１６の吸入流路２０内の圧力よりも高くなると、吸入バルブ２２が閉じ、圧縮室Ｃの内部に在った流体は、ピストン１６により圧縮された後、吐出バルブ３４を開放させて内側吐出カバー３２と外側吐出カバー３５を経て外部へ排出される。
【発明の開示】
【発明が解決しようとする課題】
【０００６】
しかしながら、従来技術によるリニア圧縮機の吐出部構造は、ループパイプ３６を外側吐出カバー３５の内部に差し込むに当たり、ループパイプ３６の端部３８と内側吐出カバー３２との間を一定間隔として組み立てるのが非常に難しい問題点があった。
また、ループパイプ３６が過度に差し込まれてループパイプ３６の端部３８が内側吐出カバー３２に当たると、ループパイプ３６の端部３８が塞がり、よって、圧縮された流体がループパイプ３６を通って外部へ排出されず、製品の不良につながる問題点があった。
本発明は上記の問題点を解決するためのもので、その目的は、ループパイプの端部を傾斜して形成することによって、ループパイプの塞がりを防止し、作業性及び製品の信頼性を向上させられるリニア圧縮機を提供することにある。
【課題を解決するための手段】
【０００７】
上記目的を達成するために、本発明に係るリニア圧縮機は、シリンダーを開閉する吐出バルブが弾性支持され、前記シリンダーから流出された流体を吐出させる吐出穴が形成された内側吐出カバーと、前記内側吐出カバーの外側に一定の空間を形成するように配置された外側吐出カバーと、前記外側吐出カバーに差し込まれて前記外側吐出カバー内の流体を外部へ排出させるループパイプと、を備えてなり、前記ループパイプは、前記外側吐出カバーに差し込まれる端部が傾斜して形成されたことを特徴とする。
【０００８】
前記外側吐出カバーには、前記ループパイプが連結されるように連結管が設けられたことを特徴とする。
【０００９】
前記連結管は、前記外側吐出カバーにおいて前記ピストンの進退方向と直交する方向に設けられたことを特徴とする。
【００１０】
前記ループパイプは、前記連結管に溶接により固定されたことを特徴とする。
【００１１】
前記ループパイプは、前記密閉容器内部の所定の箇所において円形に数回巻かれたことを特徴とする。
【００１２】
前記内側吐出カバーには、前記吐出バルブを弾性的に支持する吐出ばねが設けられたことを特徴とする。
【００１３】
また、本発明に係るリニア圧縮機は、密閉容器と、前記密閉容器の内部に設置されたリニアモーターと、前記リニアモーターに装着され、シリンダーが設けられたシリンダーブロックと、前記シリンダーの内部で前記リニアモーターにより直線往復運動するピストンと、前記シリンダーの開口部前方に配置され、前記シリンダーで圧縮された流体を排出させる吐出部と、を備えてなり、前記吐出部は、前記シリンダーを開閉する吐出バルブと、該吐出バルブが弾性支持され、前記シリンダーから流出された流体を吐出させる吐出穴が穿孔された内側吐出カバーと、該内側吐出カバーの外側に一定の空間を形成するように配置された外側吐出カバーと、該外側吐出カバーに差し込まれる端部が傾斜して形成され、前記外側吐出カバー内の流体を外部へ排出させるループパイプと、を備えてなることを特徴とする。
【００１４】
前記外側吐出カバーには、前記ループパイプが連結されるように連結管が設けられたことを特徴とする。
【００１５】
前記連結管は、前記外側吐出カバーにおいて前記ピストンの進退方向と直交する方向に設けられたことを特徴とする。
【００１６】
前記ループパイプは、前記連結管に溶接により固定されたことを特徴とする。
【発明の効果】
【００１７】
本発明によるリニア圧縮機は、外側吐出カバーに差し込まれるループパイプの端部が傾斜して形成されるため、該ループパイプの端部が内側吐出カバーにより塞がることが防止され、製品の不良を防止し、製品の信頼性及び組立性の向上が図られる効果が得られる。
【発明を実施するための最良の形態】
【００１８】
以下、本発明の好適な実施の形態について、添付の図面に基づいて詳細に説明する。
図３は、本発明によるリニア圧縮機の縦断面図であり、図４は、図１に示すリニア圧縮機の吐出部構造を示す断面図である。
【００１９】
本発明によるリニア圧縮機は、図３及び図４に示すように、密閉容器６０と、密閉容器６０の内部に設置されたリニアモーター７０と、リニアモーター７０に装着され、シリンダー６１が設けられたシリンダーブロック６２と、シリンダー６１の内部でリニアモーター７０により直線往復運動するピストン６３と、シリンダー６１の開口部の前方に配置され、シリンダー６１で圧縮された流体を排出させる吐出部８０と、を備えてなる。
【００２０】
また、リニアモーター７０は、前方にシリンダーブロック６２が装着され、後方には流体吸入口６４が穿孔されたバックカバー６５が装着される。
リニアモーター７０は、大きく、固定子と可動子とからなる。固定子は、アウターコア７１と、インナーコア７２と、磁場を形成するコイル７３とからなり、可動子は、コイル７３の周辺に形成された磁気力により直線移動するマグネット７４と、マグネット７４が固定されるマグネットフレーム７５とからなる。
【００２１】
シリンダー６１は、一側からピストン６３が挿入され、他側は、圧縮された流体が吐出されるように両側が開放された円筒構造となり、ピストン６３と吐出部８０により圧縮室Ｃが形成される。
【００２２】
ピストン６３は円筒形状を有し、前面部には、流体が吸入される吸入口６６が形成され、吸入口６６を開閉する吸入バルブ６７がボルトなどの締付部材により固設される。
そして、ピストン６３は、マグネットフレーム７５に結合されるように後方にフランジ部６８が形成され、ピストン６３が弾性的に支持されるようにフランジ部６８とシリンダーブロック６２との間には第１ばね７６が配置され、フランジ部６８とバックカバー６５との間には第２ばね７７が配置される。
【００２３】
一方、吐出部８０は、シリンダー６１の開口部を開閉する吐出バルブ８１と、吐出バルブ８１が弾性支持された内側吐出カバー８３と、内側吐出カバー８３の外側に一定の空間を形成するように配置された外側吐出カバー８４と、外側吐出カバー８４に差し込まれて外側吐出カバー８４内の流体を外部へ排出させるループパイプ８５と、を備えてなる。
【００２４】
吐出バルブ８１は、内側吐出カバー８３に吐出ばね８６によって弾性的に支持され、この吐出ばね８６は、吐出バルブ８１がシリンダー６１の圧縮室Ｃを閉じる方向に弾性力を与える円錐状のコイルばねである。
内側吐出カバー８３は、圧縮室Ｃから流出された流体を外側吐出カバー８４内に吐出させるように穿孔された吐出穴８２を有する。
吐出穴８２は、内側吐出カバー８３の前面と周面にそれぞれ穿設される。
【００２５】
外側吐出カバー８４は、内側吐出カバー８３と一定の空間を形成するように、内側吐出カバー８３の外側に所定間隔隔てて配置される。
そして、外側吐出カバー８４においてピストン６３の進退方向と直交する方向に、圧縮された流体が外側吐出カバー８４の外側に吐出されるように吐出口８７が穿孔される。該吐出口８７には、ループパイプ８５が連結される連結管８８が設けられる。
【００２６】
ループパイプ８５は、連結管８８を通って外側吐出カバー８４と内側吐出カバー８３間の空間に差し込まれる。このとき、ループパイプ８５が外側吐出カバー８４と内側吐出カバー８３間の空間に過度に差し込まれる場合にも、ループパイプ８５端部の少なくとも一側が内側吐出カバー８３から所定間隔離れるようにする。
すなわち、ループパイプ８５は、外側吐出カバー８４に差し込まれる端部８９を傾斜するように形成する。
そして、ループパイプ８５は、連結管８８に差し込まれたのち溶接などにより固定される。
ここで、ループパイプ８５は、圧縮された流体の吐出の際に生じる振動及び騒音を低減させるために、所定箇所を円形に数回巻いたり折り曲げたりして質量体の役割をするように配置したものに限定して説明されるが、これに限定されず、所定箇所に質量体を別途取り付けたものにしても良い。
【００２７】
次に、上記のように構成された本発明による吐出部構造を有するリニア圧縮機の作動について説明する。
リニアモーター７０が駆動すると、ピストン６３がシリンダー６１の内部で連続して直線往復運動をするようになる。
ピストン６３が前進すると、シリンダー６１の内部で圧縮された流体の圧力により吐出バルブ８１が開き、圧縮された流体は内側吐出カバー８３の内部に吐出される。
内側吐出カバー８３で吐出された流体は、内側吐出カバー８３に形成された吐出穴８２を通って外側吐出カバー８４に排出される。
内側吐出カバー８３から内側吐出カバー８３及び外側吐出カバー８４間の空間に排出された流体は、外側吐出カバー８４に連結されたループパイプ８５を経て外部に排出される。
ここで、ループパイプ８５は、内側吐出カバー８３及び外側吐出カバー８４間の空間に端部が位置し、よって、圧縮された流体はループパイプ８５を通って外部に排出されるのである。
【００２８】
一方、ループパイプ８５の組み立てに当たってループパイプ８５が連結管８８を通って外側吐出カバー８４内に過度に差し込まれてその端部８９が塞がることを防止するために、ループパイプ８５の端部８９は傾斜して形成される。すなわち、ループパイプ８５の端部８９の一側のみが内側吐出カバー８３に触れるように形成されるため、ループパイプ８５の端部８９は塞がることがない。
【００２９】
したがって、内側吐出カバー８３の吐出穴８２から外側吐出カバー８４内に吐出された流体が、ループパイプ８５の端部８９から流入して外部に円滑に排出される。
【図面の簡単な説明】
【００３０】
【図１】従来技術によるリニア圧縮機の縦断面図である。
【図２】図１に示すリニア圧縮機の吐出部構造を示す断面図である。
【図３】本発明によるリニア圧縮機の縦断面図である。
【図４】図３に示すリニア圧縮機の吐出部構造を示す断面図である。
【符号の説明】
【００３１】
６０    密閉容器
６１    シリンダー
６２    シリンダーブロック
６３    ピストン
６４    流体吸入口
６５    バックカバー
６６    吸入口
６７    吸入バルブ
６８    フランジ部
７０    リニアモーター
７１    アウターコア
７２    インナーコア
７３    コイル
７４    マグネット
７５    マグネットフレーム
７６    第１ばね
７７    第２ばね
８０    吐出部
８１    吐出バルブ
８２    吐出穴
８３    内側吐出カバー
８４    外側吐出カバー
８５    ループパイプ
８６    吐出ばね
８７    吐出口
８８    連結管
【図１】
2006090304.tif 000003
【図２】
2006090304.tif 000004
【図３】
2006090304.tif 000005
【図４】
2006090304.tif 000006